(57)【要約】      （修正有）【課題】チェーンスリングのグレード、線径および吊り方法に応じた最大使用荷重を作業者が容易且つ正確に確認することができる携帯可能で、作業の安全を確保する、最大使用荷重早見表を提供する。【解決手段】チェーンスリングの線径表示欄１２とその吊り方法ごとの最大使用荷重表示欄１４ｂ〜１４ｅとを有する早見表本体１０と、線径表示窓２２と吊り方法表示欄２４ａ〜２４ｃと最大使用荷重表示窓２５ａ〜２５ｅとを有するケース体２０とからなるチェーンスリング最大使用荷重早見表であり、早見表本体の線径表示欄に表示された一の線径がケース体の線径表示窓から目視される位置関係で早見表本体をケース体に収容したときに、その線径に対応するものとして早見表本体の最大使用荷重表示欄に表示された最大使用荷重が、ケース体の各吊り方法表示欄において最大使用荷重表示窓から目視可能されるように構成される。【選択図】図７
0003198325.tif 000002
【実用新案登録請求の範囲】
【請求項１】
早見表本体と、この早見表本体をスライド移動可能に収容するケース体とからなり、早見表本体には、特定のグレードのチェーンからなるチェーンスリングの複数の異なるチェーン線径値をスライド移動方向に沿って間隔をおいて表示する線径表示欄と、チェーンスリングを複数の異なる吊り方法で用いる場合にそのチェーンのグレード、線径および吊り方法から算定される最大使用荷重値を各線径の表示箇所に対して所定の位置関係で表示する最大使用荷重表示欄とが設けられ、ケース体には、チェーングレードを表示するグレード表示欄と、チェーンスリングによる吊り方法を表示する複数の吊り方法表示欄と、ケース体内に早見表本体を収容したときに早見表本体の線径表示欄に表示されたチェーン線径値を目視可能とするための線径表示窓と、ケース体内に早見表本体を収容したときに各吊り方法表示欄において早見表本体の最大使用荷重表示欄に表示されたチェーンスリングの当該吊り方法における最大使用荷重値を目視可能とするための最大使用荷重表示窓とが設けられ、早見表本体の線径表示欄に表示された一の線径値がケース体の線径表示窓から目視される位置関係で早見表本体がケース体に収容されたときに、そのチェーン線径値に対応するものとして早見表本体の最大使用荷重表示欄に表示された最大使用荷重値が、ケース体の各吊り方法表示欄において最大使用荷重表示窓から目視されるように構成されることを特徴とするチェーンスリング最大使用荷重早見表。
【請求項２】
前記複数の異なる吊り方法は、１本のチェーンスリングで吊荷を吊り上げる１本吊り、２本のチェーンスリングで吊荷を吊り上げる２本吊り、および、３本または４本のチェーンスリングで吊荷を吊り上げる３本・４本吊りの３通りを含むことを特徴とする、請求項１記載のチェーンスリング最大使用荷重早見表。
【請求項３】
前記複数の異なる吊り方法は、前記２本吊りおよび３本・４本吊りの場合においてチェーンスリング同士がなす吊り角度によってさらに２通り以上に分類され、前記ケース体において、２本吊りの吊り方法表示欄および３本・４本吊りの吊り方法表示欄は、吊り角度に応じた吊り方法表示欄に区画されることを特徴とする、請求項２記載のチェーンスリング最大使用荷重早見表。
【請求項４】
早見表本体の一面に第一のグレードのチェーンからなるチェーンスリングのチェーン線径値を表示する線径表示欄および各吊り方法における最大使用荷重値を表示する最大使用荷重表示欄とが設けられ、他面には第一のグレードとは異なる第二のグレードのチェーンからなるチェーンスリングのチェーン線径値を表示する線径表示欄および各吊り方法における最大使用荷重を表示する最大使用荷重表示欄とが設けられ、ケース体の一面には第一のチェーングレードを表示する第一グレード表示欄と共に前記吊り方法表示欄、前記線径表示窓および前記最大荷重表示窓が設けられ、他面には第二のチェーングレードを表示する第二グレード表示欄と共に前記吊り方法表示窓、前記線径表示窓および前記最大荷重表示窓が設けられ、異なる２つのグレードのチェーンからなる２種類のチェーンスリングについての最大使用荷重早見表としてリバーシブルに使用可能であることを特徴とする、請求項１ないし３のいずれか記載のチェーンスリング最大使用荷重早見表。
【請求項５】
早見表本体には各線径に対応する質量が併せて表示されており、ケース体には、一の線径が線径表示窓から目視される位置関係で早見表本体をケース体に収容したときに、該線径に対応するものとして早見表本体に表示された質量を目視可能とするための質量表示窓がさらに設けられることを特徴する、請求項１ないし４のいずれか記載のチェーンスリング最大使用荷重早見表。
【考案の詳細な説明】
【技術分野】
【０００１】
本考案はチェーンスリング最大使用荷重早見表に関する。
【背景技術】
【０００２】
平鋼板、Ｈ形鋼、Ｉ形鋼、角コラム用継手、コンクリートブロック、側溝ブロックなど様々な吊荷を吊り上げるために、各種のクランプなどと共に、または単独で、チェーンスリングが使用されている（下記特許文献１，２など）。チェーンスリングに用いられるチェーンとしては、一般に、強度の異なる２種、すなわち、グレード８（破断強度８００Ｍｐａクラス）とグレード１０（破断強度１０００Ｍｐａクラス）があり、グレード８ではφ６〜φ３２までの１０段階の線径のものが、グレード１０ではφ６〜φ２６までの９段階の線径のものが市販されている。そして、チェーンスリングに対する荷重は、その吊り方法（１本吊り、２本吊り、３本吊りなど）によって異なり、特定のグレードおよび特定の線径のチェーンからなるチェーンスリングは、その吊り方法に応じて、最大使用荷重が決定される。
【０００３】
図１は、グレード８のチェーンからなるチェーンスリングを用いた場合の最大使用荷重を示す表である。グレード１０のチェーンからなるチェーンスリングを用いた場合についても、同様の使用荷重表が作成される。従来は、作業者が、これらの表を参照して、グレード、線径および吊り方法に対応する最大使用荷重を確認して、吊り作業を行っていた。なお、表１において、モード係数（Ｍ）は、Ｍ＝Ｎ×ｃｏｓβ×μ（Ｎ：チェーンの吊本数，β：吊り角度α／２，μ：吊荷の形状係数）で算出した値の小数第一位を０または５に近似させたものを採用した。最大荷重は、チェーン１個の公称破断荷重を安全係数５で割った値を１本吊りの場合の最大使用荷重とし、２本吊りおよび３本・４本吊りの場合はこれに吊り角度αごとのモード係数を掛けて算出したものである。
【先行技術文献】
【特許文献】
【０００４】
【特許文献１】特開２００８−１６２７５５号公報（図２，図５，図１０，図１３）
【特許文献２】特開２００２−０１２３８６号公報（図１，図２）
【考案の概要】
【考案が解決しようとする課題】
【０００５】
しかしながら、このような表は、通常の場合、チェーンスリングの仕様説明書などに掲載されているため、吊り作業を行う現場にまで作業者が持ち込むことは稀であり、最大使用荷重の確認を怠ったり、記憶の間違いなどによって、最大荷重を超えて使用されることが懸念される。最大荷重を超えた条件でチェーンスリングが使用されると、最悪の場合にはチェーンスリングの破断による吊荷の落下という重大事故を誘発する恐れがある。
【課題を解決するための手段】
【０００６】
そこで本考案は、上記問題を解決し、吊り作業を行う現場で、そのグレード、線径および吊り方法に応じたチェーンスリングの最大使用荷重を作業者が容易且つ正確に確認することができる携帯可能な早見表を提供し、吊り作業の安全性を確保することを目的とする。
【０００７】
この目的を達成するため、請求項１に係る本考案は、早見表本体と、この早見表本体をスライド移動可能に収容するケース体とからなり、早見表本体には、特定のグレードのチェーンからなるチェーンスリングの複数の異なるチェーン線径値をスライド移動方向に沿って間隔をおいて表示する線径表示欄と、チェーンスリングを複数の異なる吊り方法で用いる場合にそのチェーンのグレード、線径および吊り方法から算定される最大使用荷重値を各線径の表示箇所に対して所定の位置関係で表示する最大使用荷重表示欄とが設けられ、ケース体には、チェーングレードを表示するグレード表示欄と、チェーンスリングによる吊り方法を表示する複数の吊り方法表示欄と、ケース体内に早見表本体を収容したときに早見表本体の線径表示欄に表示されたチェーン線径値を目視可能とするための線径表示窓と、ケース体内に早見表本体を収容したときに各吊り方法表示欄において早見表本体の最大使用荷重表示欄に表示されたチェーンスリングの当該吊り方法における最大使用荷重値を目視可能とするための最大使用荷重表示窓とが設けられ、早見表本体の線径表示欄に表示された一の線径値がケース体の線径表示窓から目視される位置関係で早見表本体がケース体に収容されたときに、そのチェーン線径値に対応するものとして早見表本体の最大使用荷重表示欄に表示された最大使用荷重値が、ケース体の各吊り方法表示欄において最大使用荷重表示窓から目視されるように構成されることを特徴とするチェーンスリング最大使用荷重早見表である。
【０００８】
請求項２に係る本考案は、請求項１記載のチェーンスリング最大使用荷重早見表において、前記複数の異なる吊り方法は、１本のチェーンスリングで吊荷を吊り上げる１本吊り、２本のチェーンスリングで吊荷を吊り上げる２本吊り、および、３本または４本のチェーンスリングで吊荷を吊り上げる３本・４本吊りの３通りを含むことを特徴とする。
【０００９】
請求項３に係る本考案は、請求項２記載のチェーンスリング最大使用荷重早見表において、前記複数の吊り方法は、前記２本吊りおよび３本・４本吊りの場合においてチェーンスリング同士がなす吊り角度によってさらに２通り以上に分類され、前記ケース体において、２本吊りの吊り方法表示欄および３本・４本吊りの吊り方法表示欄は、吊り角度に応じた吊り方法表示欄に区画されることを特徴とする。
【００１０】
請求項４に係る本考案は、請求項１ないし３のいずれか記載のチェーンスリング最大使用荷重早見表において、早見表本体の一面に第一のグレードのチェーンからなるチェーンスリングのチェーン線径値を表示する線径表示欄および各吊り方法における最大使用荷重値を表示する最大使用荷重表示欄とが設けられ、他面には第一のグレードとは異なる第二のグレードのチェーンからなるチェーンスリングのチェーン線径値を表示する線径表示欄および各吊り方法における最大使用荷重を表示する最大使用荷重表示欄とが設けられ、ケース体の一面には第一のチェーングレードを表示する第一グレード表示欄と共に前記吊り方法表示欄、前記線径表示窓および前記最大荷重表示窓が設けられ、他面には第二のチェーングレードを表示する第二グレード表示欄と共に前記吊り方法表示窓、前記線径表示窓および前記最大荷重表示窓が設けられ、異なる２つのグレードのチェーンからなる２種類のチェーンスリングについての最大使用荷重早見表としてリバーシブルに使用可能であることを特徴とする。
【００１１】
請求項５に係る本考案は、請求項１ないし４のいずれか記載のチェーンスリング最大使用荷重早見表において、早見表本体には各線径に対応する質量が併せて表示されており、ケース体には、一の線径が線径表示窓から目視される位置関係で早見表本体をケース体に収容したときに、該線径に対応するものとして早見表本体に表示された質量を目視可能とするための質量表示窓がさらに設けられることを特徴する。
【考案の効果】
【００１２】
請求項１に係る本考案によれば、このチェーンスリング最大使用荷重早見表を携帯した作業者が、吊り作業を行う作業現場で、使用するチェーンスリングのチェーングレードを確認した上で、早見表本体の線径表示欄に表示されたチェーン線径値から使用するチェーンスリングのチェーン線径値を選択して該チェーン線径値をケース体の線径表示窓に表示させるように、早見表本体をケース体に対してスライド移動させると、ケース体の各吊り方法表示欄の最大荷重表示窓に、当該チェーングレードおよびチェーン線径のチェーンスリングを各吊り方法で使用する場合の最大使用荷重値が、ケース体の最大使用荷重表示窓に表示される。したがって、チェーングレード、チェーン線径および吊り方法に応じた最大使用荷重を目視にて容易且つ正確に確認して、吊り作業の安全性を確保することができる。
【００１３】
請求項２に係る本考案によれば、チェーンスリングを用いて行う代表的な吊り方法である１本吊り、２本吊りおよび３本・４本吊りの吊り方法の場合の最大使用荷重値がケース体の最大荷重表示窓に表示されるので、実用性の高いチェーンスリング最大使用荷重早見表を提供することができる。
【００１４】
請求項３に係る本考案によれば、２本吊りおよび３本・４本吊りの場合においてチェーンスリング同士がなす吊り角度によってさらに２通り以上に分類されて各場合の最大使用荷重値がケース体の最大荷重表示窓に表示されるので、より実用性の高いチェーンスリング最大使用荷重早見表を提供することができる。
【００１５】
請求項４に係る本考案によれば、一のチェーンスリング最大使用荷重早見表を携帯するだけで、異なる２つのグレードのチェーンからなる２種類のチェーンスリングについてのチェーン線径および吊り方法ごとの最大使用荷重値を容易且つ正確に目視確認することができる。
【００１６】
請求項５に係る本考案によれば、使用するチェーンスリングのチェーン線径に応じた質量がケース体の質量表示窓に表示されるので、より実用性の高いチェーンスリング最大使用荷重早見表を提供することができる。
【図面の簡単な説明】
【００１７】
【図１】グレード８のチェーンからなるチェーンスリングを用いた場合のチェーン線径および吊り方法ごとの最大使用荷重を示す表である。
【図２】本考案の一実施形態によるチェーンスリング最大使用荷重早見表を構成する一要素である早見表本体の一面側の平面図である。
【図３】この早見表本体の他面側の平面図である。
【図４】図２および図３の早見表本体と共に本考案の上記一実施形態によるチェーンスリング最大使用荷重早見表を構成するケース体の一面側の平面図である。
【図５】このケース体の他面側の平面図である。
【図６】このケース体の斜視図である。
【図７】このチェーンスリング最大使用荷重早見表の一使用状態を示す平面図である。
【図８】このチェーンスリング最大使用荷重早見表の他使用状態を示す平面図である。
【考案を実施するための最良の形態】
【００１８】
本考案によるチェーンスリング最大使用荷重早見表は、早見表本体１０と、この早見表本体１０をスライド移動可能に収容するケース体２０とで構成されるものであり、その一実施形態について、図２ないし図８を参照して説明する。この実施形態によるチェーンスリング最大使用荷重早見表は、グレード８（破断強度８００Ｍｐａクラス）のチェーンからなるチェーンスリングを使用する場合と、グレード１０（破断強度１０００Ｍｐａクラス）のチェーンからなるチェーンスリングを使用する場合において、それぞれ異なるチェーン線径のものを異なる吊り方法で使用する際の最大使用荷重が一目で分かるように、リバーシブル型に構成されている。
【００１９】
早見表本体１０は、ある程度の剛性および強度を有する厚紙や合成樹脂などで形成され、この実施形態によれば、一面にはチェーングレード８のチェーンスリングを使用する場合の各種表示が印刷などにより設けられ（図２）、他面にはチェーングレード１０のチェーンスリングを使用する場合の各種表示が印刷などにより設けられている（図３）。各面の構成は実質的に同様であるので、以下、図２を参照してグレード８のチェーンスリング用の面構成について説明し、図３には同じ符号を付して説明を省略する。
【００２０】
早見表本体１０の各面は、グレード表示欄１１と、線径表示欄１２と、質量表示欄１３と、最大使用荷重表示欄１４とを有する。これらの表示欄の空白部分や空欄１５，１６には、チェースリングの図柄、製造販売会社を特定するための社名やロゴ、連絡先の電話番号などを表示する箇所として任意に使用することができる。
【００２１】
グレード表示欄１１には、対象とするチェーンスリングのチェーングレード（図２では「グレード８」）が表示される。
【００２２】
線径表示欄１２には、チェーングレード８のチェーンスリングとして一般に使用される１０通り（６ｍｍ，８ｍｍ，１０ｍｍ，１３ｍｍ，１６ｍｍ，１８ｍｍ，２０ｍｍ，２２ｍｍ，２６ｍｍ，３２ｍｍ）のチェーン線径値がスライド方向（早見表本体１０の長手方向ないし図において左右方向）に沿って間隔をおいて表示されている。質量表示欄１３には、チェーングレード８のチェーンスリングの各チェーン線径に対応する質量が各線径表示の直下に表示されている。線径表示欄１２における特定の一の線径値表示と、質量表示欄１３におけるそれに対応する質量値表示との位置関係は、後述するケース体２０における線径表示窓２２と質量表示窓２３との位置関係に対応している。
【００２３】
最大使用荷重表示欄１４は、この実施形態では、スライド方向に直交する方向（早見表本体１０の幅方向ないし図において上下方向）に異なる位置に（したがって互いに干渉することのない位置に）計５つの最大使用荷重表示欄１４ａ〜１４ｅに分けて設けられている。最大使用荷重表示欄１４ａには、チェーングレード８のチェーンスリングを１本吊りで使用する場合の各チェーン線径に応じた最大使用荷重値がスライド方向に沿って間隔をおいて表示され、最大使用荷重表示欄１４ｂには、同チェーングレードのチェーンスリングを吊り角度６０度以下の２本吊りで使用する場合の各線径に応じた最大使用荷重値がスライド方向に沿って間隔をおいて表示され、最大使用荷重表示欄１４ｃには、同チェーングレードのチェーンスリングを吊り角度６０度超９０度以下の２本吊りで使用する場合の各線径に応じた最大使用荷重値がスライド方向に沿って間隔をおいて表示され、最大使用荷重表示欄１４ｄには、同チェーングレードのチェーンスリングを吊り角度６０度以下の３本・４本吊りで使用する場合の各線径に応じた最大使用荷重値がスライド方向に沿って間隔をおいて表示され、最大使用荷重表示欄１４ｄには、同チェーングレードのチェーンスリングを吊り角度６０度超９０度以下の３本・４本吊りで使用した場合の各線径に応じた最大使用荷重値がスライド方向に沿って間隔をおいて表示されている。
【００２４】
一例を挙げれば、グレード８の線径６ｍｍ（質量０．８ｋｇ／ｍ）のチェーンからなるチェーンスリングについては、各最大使用荷重表示欄１４ａ〜１４ｅの最も左に表示されるように、１本吊で使用する場合の最大使用荷重は０．５ｔであり、吊り角度６０度以下の２本吊りで使用する場合の最大使用荷重は１．０ｔであり、吊り角度６０度超９０度以下の２本吊りで使用する場合の最大使用荷重は０．７５ｔであり、吊り角度６０度以下の３本・４本吊りで使用する場合の最大使用荷重１．５ｔであり、吊り角度６０度超９０度以下の３本・４本吊りで使用する場合の最大使用荷重１．２ｔである。特定の一のチェーン線径のチェーンスリングを使用した場合の吊り方法ごとの最大使用荷重は、図１の表に記載される関係を採用して、最大使用荷重表示欄１４ａ〜１４ｅに表示されている。線径表示欄１１における特定の一の線径値表示と、それに対応するものとして吊り方法ごとに最大使用荷重表示欄１４ａ〜１４ｅに記載された最大使用荷重値表示との位置関係は、後述するケース体２０における線径表示窓２２と、吊り方法ごとに設けられた最大使用荷重表示窓２５（２５ａ〜２５ｅ）との位置関係に対応している。
【００２５】
この早見表本体１０と共に使用されるケース体２０は、早見表本体１０と同様にある程度の剛性および強度を有する厚紙や合成樹脂などから、その長さ方向両端に開口を有するカードケース状に形成され、早見表本体１０をスライド移動可能且つ取り外し可能に収容することができるものである（図６）。この実施形態では、一方の開口端２７に円弧状の切欠２８が形成されているが、両端に同様の切欠２８を形成しても良く、また、切欠２８の形成を省略しても良い。
【００２６】
この実施形態によるチェーンスリング最大使用荷重早見表は、既述したように、チェーングレード８のチェーンスリング用とチェーングレード１０のチェーンスリング用とに使用可能なように、早見表本体１０と同様に、一面にはチェーングレード８のチェーンスリングを使用する場合の各種表示や開口窓などが設けられ（図４）、他面にはチェーングレード１０のチェーンスリングを使用する場合の各種表示や開口窓などが設けられている（図５）。各面の構成は実質的に同様であるので、以下、図４を参照してチェーングレード８のチェーンスリング用の面構成について説明し、図５には同じ符号を付して説明を省略する。ケース体２０は、グレード表示欄２１と、線径表示窓２２と、質量表示窓２３と、吊り方法表示欄２４（２４ａ〜２４ｃ）と、最大使用荷重表示窓２５（２５ａ〜２５ｅ）を有する。これらの表示欄の空白部分や空欄２６には、チェースリングの図柄、製造販売会社を特定するための社名やロゴ、連絡先の電話番号などを表示する箇所として任意に使用することができる。
【００２７】
グレード表示欄２１には、対象とするチェーンスリングのグレード（図４では「グレード８」）が表示される。
【００２８】
線径表示窓２２および質量表示窓２３は、このケース体２０に収容した早見表本体１０のスライド方向における相対的位置関係において、早見表本体１０の線径表示欄１２に表示された特定の一のチェーン線径値と、それに対応するものとして質量表示欄１３に表示された一のチェーン質量値とを目視可能に表示するために、ケース体２０の当該面の所定箇所をくり抜いて形成されている。
【００２９】
吊り方法表示欄２４は、この実施形態では、１本のチェーンスリングで吊荷を吊り上げる１本吊りの吊り方法を表示する吊り方法表示欄２４ａと、２本のチェーンスリングで吊荷を吊り上げる２本吊りの吊り方法を表示する吊り方法表示欄２４ｂと、３本または４本のチェーンスリングで吊荷を吊り上げる３本・４本吊りの吊り方法を表示する吊り方法表示欄２４ｃとに分けて、スライド方向の異なる位置に設けられている。
【００３０】
最大使用荷重表示窓２５は、この実施形態では、１本吊りの場合の最大使用荷重を表示するための最大使用荷重表示窓２５ａと、吊り角度（チェーンスリング同士がなす角度α（吊り方法表示欄２４ｂに図示））を６０度以下で２本吊りする場合の最大使用荷重を表示するための最大使用荷重表示窓２５ｂと、吊り角度αを６０度超９０度以下で２本吊りする場合の最大使用荷重を表示するための最大使用荷重表示窓２５ｃと、チェーンスリング同士がなす吊り角度α（吊り方法表示欄２４ｃに図示）を６０度以下で３本または４本吊りする場合の最大使用荷重を表示するための最大使用荷重表示窓２５ｄと、吊り角度αを６０度超９０度以下で３本吊りまたは４本吊りする場合の最大使用荷重を表示するための最大使用荷重表示窓２５ｅとからなり、１本吊りの場合の最大使用荷重表示窓２５ａは１本吊りの吊り方法表示欄２４ａの枠内に、２本吊りの場合の最大使用荷重表示窓２５ｂ，２５ｃは２本吊りの吊り方法表示欄２４ｂにの枠内、３本・４本吊りの場合の最大使用荷重表示窓２５ｄ，２５ｅは３本・４本吊りの吊り方法表示欄２４ｃの枠内において、それぞれケース体２０の当該面の所定箇所をくり抜いて形成されている。既述したように、ケース体２０の線径表示窓２２（および質量表示窓２３）と吊り方法ごとの最大使用荷重表示窓２５（２５ａ〜２５ｅ）との位置関係は、早見表本体１０の線径表示欄１１中の特定の一の線径値表示と、それに対応する最大使用荷重表示欄１４ａ〜１４ｅ中の最大使用荷重値表示との位置関係に対応している。
【００３１】
以上のように構成された早見表本体１０およびケース体２０からなるチェーンスリング最大使用荷重早見表の用法について説明する。まず、早見表本体１０の「グレード８」の面（図２）および「グレード１０」の面（図３）をそれぞれケース体２０の「グレード８」の面（図４）および「グレード１０」の面（図５）と同じ側を向くように、早見表本体１０をケース体２０のいずれかの開口端から挿入してケース体２０に収容する。そして、早見表本体１０の線径表示欄１２に表示された複数の線径値の中から、これから行うべき吊り作業に使用するチェーンスリングのチェーン線径を選択し、これがケース体２０の線径表示窓２２に表示されるように、早見表本体１０をケース体２０に対してスライド移動させる。吊り作業に使用するチェーンスリングのチェーン線径が分からないが質量が分かっている場合は、早見表本体１０の質量表示欄１３に表示された複数のチェーン質量値の中から、吊り作業に使用するチェーンスリングのチェーン質量を選択し、これがケース体２０の質量表示窓２３に表示されるように、早見表本体１０をケース体２０に対してスライド移動させる。
【００３２】
図７は、一例として、チェーン線径６ｍｍ（チェーン質量０．８ｋｇ／ｍ）のチェーンスリングを使用する場合の最大使用荷重を確認しようとする際の使用状態を示す。この場合、線径値「６」（質量値「０．８」）がケース体２０の線径表示窓２２（質量表示窓２３）に表示される相対的位置関係で、早見表本体１０がケース体２０に収容されており、早見表本体１０の一部がケース体２０の右側にはみ出している。作業者は、ケース体２０の線径表示窓２２に表示された数字「６」および／または質量表示窓２３に表示された数字「０．８」を目視して、吊り作業に使用するチェーンスリングに該当するものであることを確認する。
【００３３】
次いで、作業者は、このチェーンスリングを使用して行う吊り作業の方法を、ケース体２０の吊り方法表示欄２４（２４ａ〜２４ｃ）を参照して選択し、その吊り方法に対応する最大使用荷重表示窓２５（２５ａ〜２５ｅ）に表示された最大使用荷重の値を読み取る。たとえば、図７に示す例において、このチェーンスリングを１本吊りに使用する場合は、１本吊りの吊り方法表示欄２４ａ内の最大使用荷重表示窓２５ａに表示された数字「０．５」を読み取ることで、この場合の最大使用荷重が０．５ｔであることを容易且つ正確に確認することができる。同様に、このチェーンスリングを吊り角度α≦６０度の２本吊りに使用する場合は、２本吊りの吊り方法表示欄２４ｂ内の最大使用荷重表示窓２５ｂに表示された数字「１．０」を読み取ることで、この場合の最大使用荷重が１．０ｔであることを容易且つ正確に確認し、このチェーンスリングを吊り角度α≦９０度の２本吊りに使用する場合は、２本吊りの吊り方法表示欄２４ｂ内の最大使用荷重表示窓２５ｃに表示された数字「０．７５」を読み取ることで、この場合の最大使用荷重が０．７５ｔであることを容易且つ正確に確認し、このチェーンスリングを吊り角度α≦６０度の３本・４本吊りに使用する場合は、３本・４本吊りの吊り方法表示欄２４ｃ内の最大使用荷重表示窓２５ｄに表示された数字「１．５」を読み取ることで、この場合の最大使用荷重が１．５ｔであることを容易且つ正確に確認し、このチェーンスリングを吊り角度α≦９０度の３本・４本吊りに使用する場合は、３本・４本吊りの吊り方法表示欄２４ｃ内の最大使用荷重表示窓２５ｅに表示された数字「１．２」を読み取ることで、この場合の最大使用荷重が１．２ｔであることを容易且つ正確に確認することができる。
【００３４】
図８は、他例として、チェーン線径２０ｍｍ（チェーン質量９．０ｋｇ／ｍ）のチェーンスリングを使用する場合の最大使用荷重を確認しようとする際の使用状態を示す。この場合、線径値「２０」（質量値「９．０」）がケース体２０の線径表示窓２２（質量表示窓２３）に表示される相対的位置関係で、早見表本体１０がケース体２０に収容されており、早見表本体１０の一部がケース体２０の左側にはみ出している。作業者は、ケース体２０の線径表示窓２２に表示された数字「２０」および／または質量表示窓２３に表示された数字「９．０」を目視して、吊り作業に使用するチェーンスリングに該当するものであることを確認する。
【００３５】
次いで、作業者は、このチェーンスリングを使用して行う吊り作業の方法を、ケース体２０の吊り方法表示欄２４（２４ａ〜２４ｃ）を参照して選択し、その吊り方法に対応する最大使用荷重表示窓２５（２５ａ〜２５ｅ）に表示された最大使用荷重の値を読み取る。たとえば、図８に示す例において、このチェーンスリングを１本吊りに使用する場合は、１本吊りの吊り方法表示欄２４ａ内の最大使用荷重表示窓２５ａに表示された数字「８．０」を読み取ることで、この場合の最大使用荷重が８．０ｔであることを容易且つ正確に確認することができる。同様に、このチェーンスリングを吊り角度α≦６０度の２本吊りに使用する場合は、２本吊りの吊り方法表示欄２４ｂ内の最大使用荷重表示窓２５ｂに表示された数字「１６．０」を読み取ることで、この場合の最大使用荷重が１６．０ｔであることを容易且つ正確に確認し、このチェーンスリングを吊り角度α≦９０度の２本吊りに使用する場合は、２本吊りの吊り方法表示欄２４ｂ内の最大使用荷重表示窓２５ｃに表示された数字「１２．０」を読み取ることで、この場合の最大使用荷重が１２．０ｔであることを容易且つ正確に確認し、このチェーンスリングを吊り角度α≦６０度の３本・４本吊りに使用する場合は、３本・４本吊りの吊り方法表示欄２４ｃ内の最大使用荷重表示窓２５ｄに表示された数字「２４．０」を読み取ることで、この場合の最大使用荷重が２４．０ｔであることを容易且つ正確に確認し、このチェーンスリングを吊り角度α≦９０度の３本・４本吊りに使用する場合は、３本・４本吊りの吊り方法表示欄２４ｃ内の最大使用荷重表示窓２５ｅに表示された数字「１９．２」を読み取ることで、この場合の最大使用荷重が１９．２ｔであることを容易且つ正確に確認することができる。
【００３６】
このようにして、チェーングレード８のチェーンスリングを使用する場合はチェーングレード８についての早見表本体１０（図２）およびケース体２０（図４）を対にして構成されるチェーンスリング最大使用荷重早見表として、また、チェーングレード１０のチェーンスリングを使用する場合はチェーングレード１０についての早見表本体１０（図３）およびケース体２０（図５）を対にして構成されるチェーンスリング最大使用荷重早見表として、それぞれ、使用するチェーンスリングのチェーン線径（チェーン質量）および吊り方法に対応する最大使用荷重を、作業者が作業現場でいつでも容易且つ正確に確認することができ、吊り作業の安全を確保することができる。
【００３７】
なお、この実施形態では、チェーンスリングを用いた吊り方法として１本吊り、２本吊りおよび３本・４本吊りの３通りを想定したチェーンスリング最大使用荷重早見表としているが、これらの吊り方法に代えて、またはこれらの吊り方法に加えて、図１の表の右側各欄に示されるような、角コラム状の吊荷を吊り上げる際にチェーンスリングで絞り吊りする方法、円柱状または円筒状の吊荷を吊り上げる際にチェーンスリングをその外周に回して吊り上げる回し吊り（ラウンドエッジ）、角柱状または角筒状の吊荷を吊り上げる際にチェーンスリングをその外周に回して吊り上げる回し吊り（シャープエッジ）などの吊り方法を想定したチェーンスリング最大使用荷重早見表としても良いことは、当業者にとって自明のことであるので、説明を省略する。
【符号の説明】
【００３８】
１０  早見表本体
１１  グレード表示欄
１２  線径表示欄
１３  質量表示欄
１４（１４ａ〜１４ｅ）  最大使用荷重表示欄
１５，１６  空欄
２０  ケース体
２１  グレード表示欄
２２  線径表示窓
２３  質量表示窓
２４（２４ａ〜２４ｃ）  吊り方法表示欄
２５（２５ａ〜２５ｅ）  最大使用荷重表示窓
２６  空欄
２７  開口端（早見表本体の挿入口）
２８  切欠
【図１】
0003198325.tif 000003
【図２】
0003198325.tif 000004
【図３】
0003198325.tif 000005
【図４】
0003198325.tif 000006
【図５】
0003198325.tif 000007
【図６】
0003198325.tif 000008
【図７】
0003198325.tif 000009
【図８】
0003198325.tif 000010